(57)【要約】【課題】操作釦本体を小型化することなく、複数の操作釦を有した操作釦ユニットの小型化が可能であり、かつ、部品点数を増やすことなく、操作性が良好な操作釦ユニットを有する電子機器を提供する。【解決手段】固定部と、操作釦本体３０１と、固定部から操作釦本体３０１のフランジ部３０１ｃに延出形成され、操作釦本体３０１を支持する腕部と、複数の操作釦本体と、上記腕部と上記固定部とを連結する連結部３０５と、を備える電子機器を設ける。操作釦本体のフランジ部３０１ａの外観面に対する反対側の面の一部に段差面が形成されており、連結部３０５の外観側の一部の面３０５ａの高さが、段差面３０１ｃと同一の高さである。【選択図】図８
2016025034.tif 000002
【特許請求の範囲】
【請求項１】
固定部と、
操作釦本体と、
前記固定部から操作釦本体のフランジ部に延出形成され、前記操作釦本体を支持する腕部と、
複数の操作釦本体と前記腕部と前記固定部とを連結する連結部と、を備え、
各々の前記操作釦本体のフランジ部の外観面に対する反対側の面の一部に段差面が形成されており、
前記連結部の外観側の一部の面の高さが、前記段差面と同一の高さである
ことを特徴とする電子機器。
【請求項２】
前記連結部の外観側の一部の面の高さが、前記段差面と同一の高さである箇所は、前記連結部と前記操作釦本体のフランジ部と隙間のうち、最も狭い隙間の箇所である
ことを特徴とする請求項１に記載の電子機器。
【請求項３】
前記フランジ部は、各々の前記操作釦本体の周囲に配置されており、
前記腕部は、前記フランジ部と一体化されている
ことを特徴とする請求項１または請求項２に記載の電子機器。
【請求項４】
前記腕部は、前記操作釦本体が押圧されたときに弾性変形して前記操作釦本体を下降させ、押圧が解除されたときに前記操作釦本体を元の位置に復帰させる
ことを特徴とする請求項１乃至３のいずれか１項に記載の電子機器。
【請求項５】
各々の前記操作釦本体に形成された段差面は、平面方向で互いに隣接した位置に配置されている
ことを特徴とする請求項１乃至４のいずれか１項に記載の電子機器。
【請求項６】
前記複数の操作釦本体は、複数の金型を用いて１つのユニットとして成型され、
前記ユニットの成型の際に、前記金型の合わせ面は、前記連結部の外観側の一部の面の高さと同一の高さである前記段差面の位置に配置されている
ことを特徴とする請求項１乃至５のいずれか１項に記載の電子機器。
【請求項７】
請求項１乃至６のいずれか１項に記載の電子機器として機能する撮像装置。
【発明の詳細な説明】
【技術分野】
【０００１】
本発明は、電子機器および撮像装置に関する。
【背景技術】
【０００２】
背面に画像を表示するための液晶表示部が配置されているデジタルカメラなどの電子機器が提案されている。また、液晶表示部と略同一面に、ユーザが複数の操作メニューから、所望の操作（決定事項）を選択するための決定釦や十字釦として構成された複数の操作釦ユニットが配置されている電子機器が提案されている。
【０００３】
これらの操作釦ユニットは、操作釦本体と、操作釦本体を支持し、操作釦本体が押圧されたときに弾性変形して操作釦本体を下降させ、押圧が解除されたときに元の位置に復帰させる腕部を備える。また、操作釦ユニットは、操作釦本体の周囲のフランジ部と、操作釦本体の操作側（外観側）と反対側に配置された押し子とを備える。さらに、操作釦ユニットは、複数の操作釦本体を連結して、一体部品として構成する連結部を備える。
【０００４】
操作釦ユニットの内部には、操作スイッチが搭載され、配線パターンを形成した基板が設けられている。操作釦本体の押圧に伴って、操作釦本体が下降し、操作釦本体の操作側（外観側）と逆側に配置された押し子部が、操作スイッチに当接して押下することでＳＷオンとなり、所望の操作の選択、及び決定が実現される。
【０００５】
近年のデジタルカメラにおいて、背面の液晶表示部自体は、より大型化する方向へ進んでいるが、デジタルカメラ本体は小型化の要望が強い。したがって、液晶表示部と略同一面に配置している複数の操作釦の配置スペースが少なくなっている。そこで、操作釦本体自体を小型化して、限られたスペースに前記腕部や前記連結部を配置することが考えられるが、操作釦本体が小型になると、操作釦本体が押しにくくなり、操作釦本体の操作性が損なわれてしまい、また操作耐久も落ちる。
【０００６】
また、操作釦本体を小型化することなく、操作釦本体を支持している弾性変形可能な腕部を小型化することが考えられる。しかし、小型化した腕部を大きく弾性変形させることになるので、操作釦の押し感が劣化してしまう。操作釦本体を小型化することなく、さらには操作釦本体を支持している弾性変形可能な腕部も小型化も実施しない構成とすると、限られたスペースの中に、複数の大型の操作釦本体と腕部と連結部を配置することになる。配置することが可能になった場合、操作釦ユニットの平面方向において、腕部と連結部との隙間が狭くなる可能性が高い。
【０００７】
従来、操作釦ユニットは一つの樹脂部品で構成し、単純な金型構成で製作する。しかし、前述のように、腕部と連結部との隙間が狭くなった場合、金型自体の肉が細くなり、金型強度が確保できず、金型自体を製作できない可能性がある。連結部を削除し、操作釦ユニットを分割し、例えば、２部品構成とすることが考えられるが、部品点数が増加してしまう。
【０００８】
そこで、複数の操作釦本体が押圧されたときに弾性変形して、操作釦本体を下降させ、押圧が解除されたときに元の位置に復帰させる腕部を、操作釦毎に押圧方向で異なって配置することで、操作釦ユニットの省スペース化を図ることが考えられる。特許文献１は、固定部から第１の操作釦本体へ延出形成して支持する第１の腕部と、固定部から第２の操作釦本体へ延出形成して支持する第２の腕部が、操作釦の押圧方向で異なった位置から延出形成している操作釦ユニットを備える電子機器を開示している。
【先行技術文献】
【特許文献】
【０００９】
【特許文献１】特開２０１０−２０５５４０号公報
【発明の概要】
【発明が解決しようとする課題】
【００１０】
操作釦本体を支持し、弾性変形して操作釦本体を下降させ、押圧が解除されたときに元の位置に復帰させる腕部が、複数の操作釦毎に、操作釦の押圧方向で異なる構成とすると、金型構造が複雑になる。操作釦ユニットは、複数の操作釦本体と、複数の操作釦を支持し弾性変形する複数の腕部と、それらを保持し、外装カバーに固定するための固定部と、複数の操作釦を連結する連結部とを有して、樹脂材料で一体成型して一つの部品として構成している。弾性変形させる腕部を操作釦毎に、操作釦の押圧方向で異なる構成とすると、別方向に移動するスライド金型が追加で必要となってしまい、複雑な金型構造になる。金型構造が複雑化すると、操作釦ユニットの成形時に部品不良を招くだけでなく、金型製作のコストアップにつながる。
【００１１】
本発明は、操作釦本体を小型化することなく、複数の操作釦を有した操作釦ユニットの小型化が可能であり、かつ、部品点数を増やすことなく、操作性が良好な操作釦ユニットを有する電子機器の提供を目的とする。
【課題を解決するための手段】
【００１２】
本発明の一実施形態の電子機器は、固定部と、操作釦本体と、前記固定部から操作釦本体のフランジ部に延出形成され、前記操作釦本体を支持する腕部と、複数の操作釦本体と前記腕部と前記固定部とを連結する連結部と、を備える。各々の前記操作釦本体のフランジ部の外観面に対する反対側の面の一部に段差面が形成されており、前記連結部の外観側の一部の面の高さが、前記段差面と同一の高さである。
【発明の効果】
【００１３】
本発明によれば、操作釦本体を小型化することなく、複数の操作釦を有した操作釦ユニットの小型化が可能であり、かつ、部品点数を増やすことなく、操作性が良好な操作釦ユニットを有する電子機器を提供できる。
【図面の簡単な説明】
【００１４】
【図１】本実施形態の撮像装置の外観斜視図である。
【図２】デジタルカメラの背面液晶表示部が回転した状態を示す図である。
【図３】デジタルカメラの外装リアカバーユニットの分解斜視図である。
【図４】リアカバーユニットの操作釦の断面図である。
【図５】操作釦ユニットの外観面を示す図である。
【図６】操作釦本体の中心付近の詳細図である。
【図７】操作釦ユニットの外観面に対する反対側の面を示す図である。
【図８】操作釦本体中心付近の断面図である。
【図９】金型を用いた操作釦ユニットの成型を説明する図である。
【図１０】金型を用いた操作釦ユニットの成型を説明する図である。
【発明を実施するための形態】
【００１５】
（実施例１）
図１は、本実施形態の電子機器の外観斜視図である。
図１に示す例では、撮像装置が本実施形態の電子機器として機能する。この例では、撮像装置は、デジタルカメラである。図１（Ａ）は、デジタルカメラの正面側の外観斜視図を示す。図１（Ｂ）は、デジタルカメラの背面側の外観斜視図を示す。
【００１６】
図１（Ｂ）において、１０１は、撮影準備、及び撮影開始を指示するためのレリーズボタンである。１０２は、ズームレバーである。ズームレバー１０２は、光学式変倍機能或いはデジタル式変倍機能において、その倍率を調節操作するための部材である。
【００１７】
ズームレバー１０２は、レリーズボタン１０１の中心に対し所定の角度まで回動可能である。１０３は、デジタルカメラの電源のＯＮ／ＯＦＦ機能を持つ電源ボタンである。１０４は、様々な撮影モードを切り替えることが可能なモードダイヤルである。１０５は、露出補正ダイヤルであり、露出値を細かく設定することが可能である。１０７は、ＡＦ補助光ＬＥＤを保護する窓である。２００は、閃光発光装置である。５００は、鏡筒レンズである。手動で解除レバー１１３を下方向に移動させると、閃光発光装置２００は、閃光部がポップアップし、閃光可能状態になる。図１（Ａ）に示す閃光発光装置２００は、収納されている状態である。
【００１８】
１１１と１１２とは、ストラップ紐を挿通させるストラップ穴である。デジタルカメラ上面中央の連続した３つの穴１０８は、スピーカー穴である。スピーカー穴１０８を挟んだ左右の２つの穴１０９、１１０がマイク穴である。
【００１９】
図１（Ｂ）において、１０００は、撮影画像の確認・再生、撮影条件等の各種情報を表示するための液晶表示部である。背面液晶表示の右に配置されている回転操作ダイヤルは、回転操作が可能な４０６部と中央のボタン４０５から構成されている。回転操作ダイヤルの周りに備えられた４つの操作釦３０１、３０２、３０３、３０４は、撮影時や画像再生時に各種さまざまな設定をする際に使用される。また、側面に備えられた操作釦６０１も前述の４つの操作釦３０１、３０２、３０３、３０４と同様に、各種様々な設定をする際に使用される。６００は、コネクタカバーであり、各種外部デバイスに接続するために、プリント基板上に実装された端子類を保護する。デジタルカメラは、テレビ受信機等の外部映像デバイスに接続するためのアナログビデオ端子、外部直流電源に接続するための電源端子、ＰＣ等に接続するためのデジタル端子のうち少なくとも１つを備えるものとする。
【００２０】
図２は、デジタルカメラの背面液晶表示部が１８０度回転した状態を示す図である。
図２（Ａ）に示す状態において、撮影者は自分を撮影することが可能となる。閃光発光装置２００はポップアップした状態である。
【００２１】
図２（Ｂ）に示すとおり、背面の液晶表示部が可動式であるデジタルカメラの場合、背面液晶部に必要なスペースは、背面全体を占める割合としては、従来の背面液晶が固定された場合よりも、多大になる。しかし、デジタルカメラ本体サイズは、可動式背面液晶搭載であっても、小型化が望まれており、背面の操作釦にはスペースが少なくなってしまうことになる。
【００２２】
図３は、デジタルカメラの外装リアカバーユニットの分解斜視図である。
７０１は、リアカバーであり、７０２は、背面の指置きである。７０４は、リアカバー７０１をデジタルカメラ本体内部で固定するための金属板である。３００は、背面操作釦ユニットである。７０３は、背面ＬＥＤ窓である。
【００２３】
操作釦ユニット３００は、リアカバー７０１、金属板７０１を挟んで、３本のねじによって、背面指置き７０２に固定される。操作釦ユニット３００は、複数の操作釦本体３０１、３０２、３０３、３０４を具備しており、一つのユニットとして構成されている。
【００２４】
４００は、操作釦本体に対応したスイッチ４０１、４０２、４０３、４０４を実装した基板を搭載した回転操作ダイヤル部品である。回転操作ダイヤル部品４００は、リアカバーユニットに固定されてリアカバー７０１と一体で構成する場合と、デジタルカメラ本体内部に固定する場合とがある。
【００２５】
図４は、リアカバーユニットの操作釦の断面図である。
図４（Ｂ）は、図４（Ａ）に示すデジタルカメラのＡ−Ａ線断面、つまり操作釦本体３０１、３０２の断面を示す。図４（Ｃ）は、図４（Ａ）に示すデジタルカメラのＢ−Ｂ線断、つまり操作釦本体３０３、３０４の断面を示す。
【００２６】
操作釦本体３０１の周囲には、側面に外観から見えないフランジ部３０１ａが全周に渡って形成されており、フランジ部３０１ａにリアカバー７０１が覆いかぶさっている。したがって、操作釦本体３０１とリアカバー７０１の操作釦本体３０１に対応した穴部の隙間から内部部品が露呈することのない構成となっている。図４中のその他の操作釦本体３０２、３０３、３０４の周りも操作釦本体３０１の周りと同様の構成となっており、操作釦本体まわりの外観から内部部品が露呈することなく、品位のある外観を構成している。
【００２７】
図５は、操作釦ユニットの外観面を示す図である。図６は、操作釦本体の中心付近の詳細図である。また、図７は、操作釦ユニットの外観面に対する反対側の面を示す図である。また、図８は、図５の操作釦本体中心付近の断面図である。
【００２８】
複数の操作釦本体３０１、３０２、３０３、３０４は、複数の金型を用いて１つのユニットとして成型されて、操作釦ユニット３００を構成している。操作釦本体３０１、３０２、３０３、３０４には、それぞれ、操作釦本体の周囲に配置されたフランジ部３０１ａ、３０２ａ、３０３ａ、３０４ａが設けられている。また、操作釦本体３０１、３０２、３０３、３０４には、それぞれ、操作釦本体を支持し、押圧すると弾性変形して操作釦本体を下降させ、押圧が解除されたときに元の位置に復帰させる腕部３０１ｂ、３０２ｂ、３０３ｂ、３０４ｂが設けられている。腕部は、対応する操作釦本体の周囲に配置されたフランジ部と一体化されている。つまり、腕部は、固定部から操作釦本体のフランジ部に延出形成され、操作釦本体を支持している。
【００２９】
連結部３０５、３０６、３０７、３０８は、複数の操作釦本体とそれぞれの腕部を、操作釦ユニット３００の固定部３５０に連結して、一つの部品として構成する。腕部３０１ｂ、３０２ｂ、３０３ｂ、３０４ｂは、弾性変形するので、操作釦ユニット３００は、樹脂部材で構成される。
【００３０】
腕部３０１ｂ、３０２ｂ、３０３ｂ、３０４ｂを、短い形状や小型形状で構成すると、操作釦本体を押圧操作させた際に、小型な腕部を大きく弾性変形させることになり、操作釦の押し感が劣化し、さらには耐久性が落ち、腕部が破損する可能性がある。したがって、腕部３０１ｂ、３０２ｂ、３０３ｂ、３０４ｂは、図５に示すとおり、ある程度長く十分に可撓性を有する形状とする。
【００３１】
また、図５、図６に示すように、操作釦本体３０１は、全周をフランジ部３０１ａとフランジ部３０１ａから延出した腕部３０１ｂとで構成しており、腕部３０１ｂは、外装カバーとの固定部３５０へ連結している。操作釦本体３０２も操作釦本体３０１と同様の構成である。連結部３０５、３０６は、固定部３５０から下側の操作釦本体３０３、３０４へ連結して一つの部品としている。
【００３２】
また、図７に示すように、操作釦本体３０１のフランジ部３０１ａの外観面に対する反対側の面の一部に段差面３０１ｃ、３０１ｄが設けられている。段差面３０１ｃは、連結部３０５と平面方向で隣接した位置に配置されている。また、段差面３０１ｄは、連結部３０６と平面方向で隣接した位置に配置されている。操作釦本体３０２、３０３、３０４のフランジ部３０２ａ、３０３ａ、３０４ａの外観面に対する反対側の面の一部にも、段差面３０２ｃ、３０３ｃ、３０３ｄ、３０４ｃが設けられている。これらの段差面も、それぞれ、連結部３０５、３０６、３０７、３０８と平面方向で隣接した位置に配置されている。
【００３３】
図８は、操作釦本体の中心付近の断面図の例である。
図８（Ａ）は、図５に示す操作釦本体３０１、３０２の中心付近のＣ−Ｃ線断面を示す。また、図８（Ｂ）は、図５に示す操作釦本体３０３、３０４の中心付近のＤ−Ｄ線断面を示す。
【００３４】
図８（Ａ）に示すように、操作釦本体３０１のフランジ部３０１ａの外観面に対する反対側の面の一部に設けられた段差面３０１ｃの高さと、連結部３０５の外観側の一部の面３０５ａの高さが、同一の高さである。そして、面３０５ａの高さが段差面３０１ｃの高さと同一の高さである箇所は、連結部３０５と操作釦本体３０１のフランジ部３０１ａとの隙間のうち、最も狭い隙間の箇所である。同じ構成の箇所が、段差面３０１ｄと連結部３０６の外観側の面３０６ａである。また、操作釦本体３０２付近にも同様の構成箇所が存在する。段差面３０２ｃと連結部３０６の外観側の面３０６ａである。さらに、同じ構成箇所が、操作釦本体３０３、３０４付近にも存在している。
【００３５】
操作釦本体３０１は、意匠デザインされた形状であり、フランジ部３０１ａも同様なデザイン形状になる。また、連結部３０５は、限られたスペースに収めるため、形状が細くなってしまうことがある。その結果、図６に示すように、操作釦本体３０１のフランジ部３０１ａと連結部３０５との隙間において、非常に細い隙間箇所３１１ができてしまうことになる。操作釦ユニット３００の製作には、樹脂材料で成型するために、金型が使用される。金型は、製品の形状が存在する箇所は空間とし、製品の形状がない箇所に型として、製作される。
【００３６】
隙間箇所３１１は、金型が型として入ってくるが、製品の隙間が狭いということは金型の型の肉が非常に細くなってしまうことになる。隙間箇所３１１に細い金型を入れることは、金型製作の上でも困難であり、また、部品成型時に、金型が破損する可能性がある。したがって、従来は、隙間箇所３１１のような部分は部品として形にすることが困難であった。図５の操作釦本体３０２乃至３０４、および連結部３０６乃至３０８も同様である。しかし、図８（Ａ）に示すように、本実施形態では、操作釦本体３０１のフランジ部３０１ａの外観面に対する反対側の面の一部に段差面３０１ｃを設け、隣接する連結部３０５の一部外観側の面３０５ａと同一高さに構成する。これにより、金型の合わせ面（パーティングライン）を、前述の同一高さの面の位置に配置することが可能になる。すなわち、操作釦ユニット３００の成型の際に、金型の合わせ面は、連結部の外観側の面の高さと同一の高さである段差面の位置に配置される。金型の合わせ面（パーティングライン）を前述の同一の高さである段差面の位置に設定することで、図６に示す細い隙間箇所３１１において、外観側の面の金型については、合わせ面までの厚い肉の型が製作することができる。外観面に対する反対側の面の金型についても、段差を設けた分だけ、幅の厚い太い肉の型を製作することができる。
【００３７】
図９および図１０は、金型を用いた操作釦ユニットの成型を説明する図である。
外観側の面の金型が８００、外観面に対する反対側の面の金型が９００である。操作釦ユニット３００の外観側の面の金型８００と外観面に対する反対側の面の金型９００との狭い隙間箇所３１１、３１２、３１３（図６）の金型合わせ面（パーティングライン）は図９中に示すＥ、Ｆである。
【００３８】
図１０は、外観側の面の金型８００と外観面に対する反対側の面の金型９００が開いて、操作釦ユニット３００の形状になった状態を示す。外観側の面の金型８００は、金型合わせ面（パーティングライン）のＥ、Ｆ箇所でも、金型として十分に厚い箇所８０１、８０２となり、金型の細い箇所は存在しない。また、外観面に対する反対側の面の金型９００には、前述の金型合わせ面（パーティングライン）のＥ、Ｆ箇所にも、操作釦本体のフランジ部の段差分だけの肉を増すことが可能である。したがって、箇所９０１、９０２、９０３のように、金型として十分な厚みを持たせることが可能となる。外観側の面の金型８００、外観面に対する反対側の面の金型９００のどちらにも、過度に細い箇所がない。したがって、強度を保った金型となる。その結果、部品製作においても、部品成型時に、金型の破損につながる可能性が低くなり、安定して部品作成が可能となる。
【００３９】
本実施形態によれば、限られたスペースの中に、金型強度を確保しつつ、操作釦本体を支持している弾性変形可能な腕部に十分に可撓性を維持したままの大型な操作釦本体と、複数の操作釦本体を連結部する連結部を配置することが可能になる。その結果、部品点数を増やすことなく、操作性が良好な操作釦ユニットを有した電子機器を実現できる。
【符号の説明】
【００４０】
３０１  操作釦本体
３０１ａ  フランジ部
３０１ｄ  段差面
【図１】
2016025034.tif 000003
【図２】
2016025034.tif 000004
【図３】
2016025034.tif 000005
【図４】
2016025034.tif 000006
【図５】
2016025034.tif 000007
【図６】
2016025034.tif 000008
【図７】
2016025034.tif 000009
【図８】
2016025034.tif 000010
【図９】
2016025034.tif 000011
【図１０】
2016025034.tif 000012